(57)【特許請求の範囲】
【請求項１】
引き込み装置、特に引き出し、引き戸若しくは開き戸等のための引き込み装置であって、ばね（１４）によりばね力が作用されるようになっている連結片（１３）を有しており、該連結片は、引き込み位置と送り出し位置との間で移動可能になっている形式のものにおいて、前記連結片（１３）に、押し出し装置（２０）が間接的に若しくは直接に連結されるようになっており、前記押し出し装置（２０）のスライド片（２１）が、該押し出し装置（２０）の操作に際して移動されるようになっていることを特徴とする引き込み装置。
【請求項２】
ダンパー（１２）が、前記送り出し位置から前記引き込み位置への前記連結片（１３）の移動運動を減衰するようになっている請求項１に記載の引き込み装置。
【請求項３】
前記連結片（１３）は、前記送り出し位置において、操作装置（切欠き部（１１．２１）、案内（１１．２）、連行体（１３．４））を用いて駐留位置に保持されており、該駐留位置において、前記スライド片（２１）は前記連結片（１３）に対して相対的に移動可能になっている請求項１又は２に記載の引き込み装置。
【請求項４】
前記スライド片（２１）は、押し込み位置と押し出し位置との間で移動可能になっている請求項１から３のいずれか１項に記載の引き込み装置。
【請求項５】
前記押し出し装置（２０）は、ばね要素（２２）を有しており、該ばね要素（２２）は、前記スライド片（２１）に押し込み位置で荷重を掛けている請求項１から４のいずれか１項に記載の引き込み装置。
【請求項６】
前記押し出し装置（２０）は、前記押し込み位置の解消のための過行程機構を有している請求項１から５のいずれか１項に記載の引き込み装置。
【請求項７】
前記押し出し装置（２０）は、支持体（３１）を有しており、前記押し出し位置から前記押し込み位置への前記スライド片（２１）の移動に際して、ラッチ（３３）が有効になり、該ラッチは、前記支持体（３１）に対する前記スライド片（２１）の相対的な移動を可能にしている請求項１から６のいずれか１項に記載の引き込み装置。
【請求項８】
前記スライド片（２１）は、前記押し込み位置ではロック片（２８）を用いてロックされている請求項１から７のいずれか１項に記載の引き込み装置。
【請求項９】
引き出し若しくは類似のものを操作するための方法において、引き出しの閉鎖位置で押し出し装置（２０）を始動し、該押し出し装置によって前記引き出しを前記閉鎖位置から部分開放位置へ移動させ、次いで、前記部分開放位置からの前記引き出しの移動に際して、ばね（１４）に応力を発生させることを特徴とする、引き出し等の操作のための方法。
【請求項１０】
前記部分開放位置からの前記引き出しの開放中に、連結片（１３）が、引き込み位置から引き出し位置へ移され、該引き出し位置の達成に際して、前記連結片（１３）は、駐留位置へ移され、かつ前記押し出し装置（２０）と前記連結片（１３）との間の連結が解除される請求項９に記載の方法。
【請求項１１】
前記閉鎖位置からの前記押し出し装置（２０）の始動のために、過行程機構が操作される請求項９に記載の方法。
【請求項１２】
開かれた位置若しくは部分的に開かれた位置から閉鎖位置に向かう方向での前記引き出しの移動に際して、前記押し出し装置（２０）は該押し出し装置の押し出し位置から押し込み位置へ移される請求項９から１１のいずれか１項に記載の方法。
【請求項１３】
前記押し出し装置（２０）は、前記ばね（１４）を用いて前記引き出しの閉鎖位置へ引っ張られ、かつ同時にダンパー（１２）を用いて制動される請求項９から１２のいずれか１項に記載の方法。
【発明の詳細な説明】
【技術分野】
【０００１】
本発明は、引き込み装置に関し、特に、引き出し、引き戸若しくは開き戸又は旋回式戸或いは開き窓又は旋回式窓等のための引き込み装置であって、ばねによりばね力が作用されるようになっている連結片を有しており、該連結片は、引き込み位置と送り出し位置との間で移動可能になっている形式のものに関する。更に、本発明は、引き出し等若しくは引き戸若しくは開き戸又は旋回式戸或いは開き窓又は旋回式窓等の操作のための方法に関する。
【０００２】
ドイツ連邦共和国特許出願公開第１０２００７００８６８８Ａ１号明細書により、引き出しのための引き込み装置が公知である。公知の引き込み装置は、連結器又は連結片として傾倒部材を有しており、傾倒部材（旋回部材）は、引き出しの開放に際して、ばねの応力に抗して引き込み位置から走出位置へ移動させられるようになっている。この場合に、傾倒部材は連行体によって移動させられるようになっている。傾倒部材が走出位置に達すると、傾倒部材は連行体との係合を解除し、引き出しは、惰性により引き続き引き出されるようになっている。引き出しを再び閉じる場合には、引き出しは、連行体が傾倒部材によって捉えられるまで移動させられる。続いて、予め緊張されているばねが、引き出しを閉鎖位置へ引っ張るようになっている。この場合に引き出しの強い衝突を防止するために、引き込み運動はダンパーを用いて制動されるようになっている。
【０００３】
美観的な理由から取手なしの引き出しが求められる傾向にある。しかしながら、引き込み装置を備える公知の引き出しは、引き出しをばねの作用下で閉鎖位置に保持しているので、取手なし又はつかみ部なしにはまだ引き出され得ない、つまり開けられ得ないままの状態である。
【０００４】
本発明の課題は、冒頭に述べた形式の引き出し装置に改良を加えて、引き出しの操作性を高めることである。
【０００５】
前記課題を解決するために、本発明の構成によれば、連結片に、押し出し装置が間接的に若しくは直接に連結されるようになっており、押し出し装置のスライド片が押し出し装置の操作に際して作動されるようになっている。押し出し装置により、引き出しは、閉鎖位置から、部分的に押し出された部分開放位置へ走行させられ、つまり移動させられるようになっている。この場合に、スライド片が有効になり、引き出しを移動させる。これにより、部分的に開かれた引き出しは、例えばその前板をつかまれて、更に開かれた開放位置へ引き出されるようになる。
【０００６】
本発明に係る引き込み装置においては、ダンパーが、送り出し位置から引き込み位置への連結片の移動運動を減衰又は制動するようになっていることにより、制御された閉鎖運動が得られるようになっている。
【０００７】
本発明の有利な形態によれば、連結片は、スライド片の送り出し位置において、つまりスライド片がその送り出し位置にある場合に、作動装置又は操作装置（例えばスリット状の案内又はガイド、案内（ガイド）に対してほぼ垂直に延びる切欠き部又は案内延長部、案内内に案内された連行体）を用いて駐留位置又は係留位置に保持されており、この場合に、スライド片は、駐留位置又は係留位置に保持されている連結片に対して相対的に移動可能になっている。
【０００８】
本発明の形態によれば、押し出し装置の規定された運動経過を得るために、押し出し装置のスライド片が、その押し込み位置（走入位置）と押し出し位置（走出位置）との間で移動可能になっている。
【０００９】
本発明の形態によれば、引き込み装置を簡単かつ安価な構造で形成するために、押し出し装置は、ばね要素を有しており、ばね要素（例えばコイルばね）は、スライド片にその押し込み位置で荷重（ばね力、例えば押圧力）を掛けている。ばね要素は、押し出し装置の操作に際して、引き出しの閉鎖位置で、ばね要素のばねエネルギーをスライド片に付与するようになっている。これにより、引き出しは、部分的に開かれた位置へ移される。
【００１０】
本発明の特に有利な形態によれば、押し出し装置は、押し込み位置の解消又は解除のための過行程機構を有し、つまりスライド片がその規定された押し込み位置を超えて移動できるための過行程機構を有している。これにより、引き込み装置は特に容易に操作できるようになっている。押し出し装置の作動開始（始動）のために、引き出しの構成に対応して、例えば引き出し正面を押すだけで、過行程機構が操作されるようになっている。
【００１１】
本発明の有利な形態によれば、押し出し装置は、支持体を有し、支持体に支承されたラッチを備えており、ラッチは、押し出し位置から押し込み位置へのスライド片の移動に際して、有効になり、つまり、押し出し装置の押し棒を、スライド片の所定の移動距離又は押し込み行程にわたって、例えば互いに角度を成して位置する２つの壁要素、即ち山形材からなるレールに設けられた係止部に対してロックするようになっており、ラッチは、支持体に対するスライド片の相対的な移動を可能にしており、これにより、作動（レリーズ）された押し出し装置が再びエネルギーを蓄積（チャージ）されるようになっている。
【００１２】
押し出し装置の意図しない作動開始を防止するために、スライド片は、本発明の有利な形態によれば、スライド片の押し込み位置ではロック片を用いてロック（確保又は位置固定）されるようになっている。
【００１３】
引き出し（或いは引き戸若しくは開き戸又は旋回式戸或いは開き窓又は旋回式窓等）の操作のための方法において、本発明の前記課題を解決するために、本発明の構成によれば、引き出しの閉鎖位置で押し出し装置が始動（作動開始）され、該押し出し装置によって引き出しがその閉鎖位置から、部分的に開かれる部分開放位置へ移動され、次いで、部分開放位置からの引き出しの引き続く移動に際して、ばねが応力又は引張り力を発生させるようになっている。
【００１４】
引き出し等の操作のための方法において、押し出し装置は、引き出しの閉鎖位置からの容易な開放のために用いられる。引き出しを部分開放位置から更に引き出す場合に、引き出し運動は、ばねの応力又は引張り力の発生（エネルギー蓄積）のために用いられ、ばねは、後で、閉鎖位置への引き出しの引き込みに際して応力を放出する、つまりエネルギーを消費するようになっている。
【００１５】
上述の作動過程を特に容易に実施するために、本発明の有利な形態によれば、部分開放位置からの引き出しの開放中に、連結片が、引き込み位置から引き出し位置へ移され、引き出し位置の達成に際して、連結片は、駐留位置（ばね係留位置）へ移され、かつ押し出し装置と連結片との間の連結が解除される。
【００１６】
引き出しの閉鎖位置若しくは押し出し装置の押し込み位置からの押し出し装置の始動（レリーズ又はトリガー）のために、過行程機構が操作され、これにより特に、取手なしの引き出しの簡便な操作が達成される。
【００１７】
引き出しの開かれた位置若しくは開放位置或いは部分的に開かれた位置若しくは部分開放位置から閉鎖位置へ向かう方向での引き出しの移動に際して、押し出し装置をその押し出し位置（走出位置）から押し込み位置（走入位置）へ移す場合に、押し出し装置は、引き出しの閉鎖に伴って押し込み位置へ移されるようになっており、つまり、押し出し装置の押し込み位置への戻し移動行程は、引き出しの必然の運動過程に組み込まれていて、煩わしい追加的な操作を必要とすることなしに、極めて簡便に、即ち操作容易に行われるものである。
【００１８】
本発明の有利な形態によれば、押し出し装置は、押し出し装置の戻し移動行程若しくは引き出しの閉鎖過程を緩やかに行うために、ばねを用いて引き出しの閉鎖位置へ引っ張られると同時に、ダンパーを用いて制動され又は減衰される。
【００１９】
次に、本発明を図示の実施形態に基づき詳細に説明する。
【図面の簡単な説明】
【００２０】
【図１】引き込み装置の斜視図である。
【図２】図１の引き込み装置の部分断面図である。
【図３】引き込み装置の構成ユニットの断面図である。
【図４】引き込み装置を１つの作動位置で示す図である。
【図５】引き込み装置を別の作動位置で示す図である。
【図６】引き込み装置を更に別の作動位置で示す図である。
【図７】引き込み装置を更に別の作動位置で示す図である。
【図８】引き込み装置を更に別の作動位置で示す図である。
【図９】引き込み装置を更に別の作動位置で示す図である。
【図１０】引き込み装置を更に別の作動位置で示す図である。
【図１１】引き込み装置を更に別の作動位置で示す図である。
【図１２】引き込み装置を更に別の作動位置で示す図である。
【図１３】引き込み装置を更に別の作動位置で示す図である。
【図１４】引き込み装置を更に別の作動位置で示す図である。
【００２１】
図１は、引き込み装置を示しており、該引き込み装置は、例えば引き出しに用いられるものである。考えられる他の実施形態では、本発明に係る引き込み装置は、可動の建物構成部分、例えばドア、フラップ、開き戸又は旋回式戸若しくは旋回式窓等にも用いられるものである。引き込み装置は、結合器２９を含んでおり、該結合器は、プレート状に形成されていてよく、例えば引き出し（図示省略）に取り付けられるようになっている。
【００２２】
引き込み装置は、更にケーシング１０を有しており、該ケーシングはねじ受容部１１．１を備えており、該ねじ受容部により、引き込み装置の、家具等の外枠側の固定が可能になっている。ケーシング１０は、互いに平行に離間する２つの側壁１１を有しており、該側壁に案内１１．２が加工成形されている。案内１１．２は、スリット状の貫通部を有しており、該貫通部は、幅が広げられた切欠き部１１．２１に通じている。両方の側壁１１の案内１１．２は、互いに合致して、即ち相対して整合しており、つまり互いに鏡面対称に形成されている。ケーシング１０には、レール４０が一体に続いており、該レールは、互いに角度を成して位置する２つの壁要素４１，４３を含んでいる。壁要素４１，４３は、外枠側の面への支持のために用いられるものである。壁４１は、係止部を有しており、該係止部は、一列の係止要素４２によって形成されている。係止要素４２は、有利には互いに同一ピッチで離間して配置されている。係止要素４２は、引き出しの引き出し方向に傾けられた係止解除傾斜面４２．２を有しており、該係止解除傾斜面は、急勾配の係止面４２．１へ移行している。
【００２３】
図２には、引き込み装置の右側の部分が、その機能を分かりやすくするために拡大して断面で示してある。ケーシング１０内には、ダンパー１２が収容されている。ダンパー１２は、流体式減衰器又は流体式緩衝器として、有利にはエアダンパーとして形成されている。エアダンパーを用いる利点として、破損の際に液体漏れの発生がなく、従って、引き出し内収容物を汚すおそれが発生しない。ダンパー１２は、シリンダー１２．６及び該シリンダー内に受容されたピストン１２．２を有しており、ピストン１２．２は、シリンダー１２．６内を、図２に示してある押し込み位置（走入位置）から、走出方向へ移動させられ、つまり引き出されるようになっている。ピストン１２．２の戻り運動（走入移動）に際して、ピストン１２．２は、エアクッションに抗して働くようになっており、この場合に空気圧は連続的に放圧される。このために、挿入体１２．３に、圧縮される空気を逃がして制御する小さな開口部が設けられている。ピストンロッド１２．１は、該ピストンロッドの、挿入体１２．３とは逆の側の端部にヘッド部分１２．４を有しており、該ヘッド部分は旋回支承部１２．５を形成している。旋回支承部１２．５には、旋回要素若しくは傾倒要素として形成された連結片１３が旋回可能に保持されている。この場合に、旋回運動は、図２の図平面に対して垂直な旋回軸を中心として行われる。連結片１３に、ばねホルダー１３．１が配置されており、該ばねホルダーは、ばね１４の一方の端部を保持している。ばね１４の他方の端部は、ケーシング側に掛けられている。
【００２４】
連結片１３は、旋回軸に対して距離を置いて配置されたトリガー１３．２を有している。更に連結片１３には、連行体１３．４が設けられており、該連行体は、例えば連結片１３のアーム１３．３に一体成形されていてよいものである。連行体１３．４に、押し出し装置２０の結合部分３０が解離可能に結合されるようになっている。
【００２５】
次に、図３に基づき押し出し装置２０の構成を詳細に説明する。押し出し装置２０は、前に述べてあるように、結合部分３０を含んでおり、該結合部分は、支持体３１及び端部片３５を有していて、連結片１３との解除可能な連結のために用いられている。
【００２６】
結合部分３０は、受容部３６を有しており、該受容部内に連行体１３．４が入り込むようになっている。受容部３６は、結合部分３０の端部片３５に設けられている。端部片３５には、係止解除部分３７として突起状の付加部が一体成形されている。端部片３５は支持体３１に保持されている。支持体３１がロック受容部３２を有している。更に結合部分若しくは押し出し装置２０には、ラッチ３３が、図平面に対して垂直に延びる旋回軸３３．４を中心として旋回可能に支承されている。ラッチ３３は、係止区分３３．１、係止解除区分３３．２及びストッパー３３．３から成っている。
【００２７】
結合部分３０には、端部片３５とは逆の側の端部３８に、ねじ結合部を介して押し棒２４が保持されている。このために、押し棒２４は、雄ねじ２４．１で以て結合部分３０の雌ねじ３８．１内にねじ込まれている。押し棒２４は係止リング２４．２を支持しており、該係止リングは押し棒２４の支承受容部内に周方向回転自在に保持されている。係止リング２４．２は係止要素を有しており、係止要素は、中空円筒状に形成されたスライド片２１の制御カム２３内に案内されている。制御カム２３は、スライド片２１の内壁に加工成形された溝によって形成されている。制御カム２３と押し棒２４の係止リング２４．２とは、過行程機構を形成している。過行程機構の機能は、ノック式ボールペンのノック機構の機能に相当するものであり、この場合に、押し棒２４が、ノック式ボールペンのノック機構（ラチェット機構とも称される）のノックヘッドに対応するものである。スライド片２１内には、コイルばねにより形成されたばね要素２２が収容されていて、座屈しないようにスライド片２１の壁によって案内されている。
【００２８】
図３から見て取れるように、スライド片２１のホルダー２６には、支承部２７を介してロック片２８が旋回可能に取り付けられている。ロック片２８は、係止解除片２８．１及びアーム２８．２を有している。アーム２８．２がロック要素２８．３を支持している。
【００２９】
図１から見て取れるように、結合器若しくは結合装置２９は、スライド片２１に一体に連結されており、このような構成により部品数が少なくなっている。
【００３０】
次に、図４〜図１４に基づき、本発明の引き込み装置の機能を詳細に説明する。
【００３１】
図４は、引き込み装置の出発位置を示しており、該出発位置では、引き出しは閉鎖位置にある。引き出しの閉鎖位置若しくは引き込み装置の出発位置は、連結片１３が引き込み位置にある位置をなしている。過行程機構は係止位置（ロック位置）にあり、つまり、係止リング２４．２が制御カム２３の係止付加部にロックされている。ラッチ３３が、スライド片２１の係止解除部分２５により、上方旋回させられた係止解除位置に保たれている。過行程機構の作動のために、過行程Ｕｅが、例えば引き出し前面を介して本来の引き出しの運動の方向に導入される。過行程Ｕｅは、結合器２９を介してスライド片２１に伝達される。これにより、スライド片２１が、過行程Ｕｅの方向へばね要素２２の応力又は圧縮力に抗して押し棒２４に対して相対的にわずかな距離にわたって移動させられる。その結果、制御カム２３における係止リング２４．２の係止位置（ロック位置又は固定位置）が解消され又は解除され、つまり、係止リング２４．２が、制御カム２３における係止位置から持ち上げられ、即ち係止位置を超えて移動させられ、かつ周方向に回動させられて、制御カム２３の直線区分に達する。スライド片２１の、過行程Ｕｅにより移動されて占める位置が、図５に示してある。図５に示してあるように、ラッチ３３も、その係止解除区分３３．２が、係止解除部分２５によって軽く持ち上げられ、即ち上方へ変位されている。
【００３２】
今、押された引き出しが、押し力を除かれると、係止リング２４．２とスライド片２１の制御カム２３との間の係止結合部の係止解除に基づき、スライド片２１が、その押し込み位置（図４）から押し出し位置（走出位置）へ移され、即ち移動させられる（図５から図６への移行）。この移動は、押し込み位置では応力を受けていて、つまり図示の実施形態では圧縮されていてスライド片２１を押圧しているばね要素２２によって行われる。
【００３３】
図６は押し出し位置を示している。スライド片２１の運動（移動）は、結合装置２９を介して引き出しに伝達され、その結果、引き出しが第１の部分開放位置へ移動させられる。
【００３４】
スライド片２１の移動に際して、ラッチ３３がスライド片２１から解放されて、重力に基づき、図６に示す位置へ下方旋回させられるようになっている。図６に示す位置へのラッチ３３の移動（下方旋回運動）は、必要に応じてばねにより、支援されるようになっていてよい。ロック片２８は、その係止解除片２８．１で以て、図４及び図５に示してあるように、ケーシング１０の壁要素１１．３と係合していることにより係止解除位置に保たれており、つまり、係止解除片２８．１は、ロック要素２８．３がロック受容部３２内に係合することを阻止している。スライド片２１が移動させられると、ロック片２８は、壁要素１１．３から外れ、つまり壁要素１１．３との係合を解除され、ばね（図示省略）により、図６に示す位置に保たれる。この場合に、ロック要素２８．３は、支持体３１の表面に沿って滑動するようになっている。図６に示す位置が達成されると、引き出しは容易につかまれて、手動で、別の部分開放位置へ部分的に引き出され、或いは完全に開かれる開放位置へ完全に引き出されるようになる。この場合に、引き出しに連結されている押し出し装置２０も開放方向Ｏｅに運動させられる。連結片１３が結合部分３０に連結され、ひいては押し出し装置２０に連結されているので、連結片１３は開放方向Ｏｅに運動させられる。この場合に、連結片１３は案内１１．２により案内される。連結片１３は、ダンパー１２のピストンロッド１２．１を連行し、ひいてはピストン１２．２を移動させるようになっている。これに伴って、ばね１４に応力が形成され、つまり、ばね１４が図示の実施形態では引っ張られ、即ち引き伸ばされる。この場合に、連結片１３は、案内１１．２内に案内されている連行体１３．４が切欠き部１１．２１の領域に達するまで、押し出し装置２０によって引っ張られる。旋回軸１２．５に対して離心的に作用するばね１４により、連結片１３が、旋回軸１２．５を中心として傾倒（旋回）させられ、連行体１３．４が切欠き部１１．２１内へ入り込むことになる。これにより、連行体１３．４は結合部分３０の受容部３６との係合を解除される。つまり、押し出し装置２０と連結片１３との間の結合が解除されるので、引き出しは、惰性により引き続き、引き出され、つまり走出することになる。連結片１３は、図８に示す走出位置に移される。図６の位置から図７の位置への押し出し装置の移行に際して、ラッチ３３は、その係止解除区分３３．２で以てケーシング１０の縁部１５に当接して、該縁部により持ち上げられて、つまり上方旋回させられて、レール４０の領域内へ走入するようになっている（図７、参照）。ラッチ３３は、レール４０の領域内における走行に際して、各係止要素４２を超えて移動し、つまり、各係止解除傾斜面（乗り上げ面又は変位面）４２．２に沿って持ち上げられて、即ち上方旋回させられて、各係止要素４２の後で、ラッチ３３の係止区分３３．１で以て各係止面４２．１の後に入り込むようになっている。このようにして、引き出しは、所望の各部分開放位置へ移され、或いは完全に引き出され、そこでラッチ３が、レール４０と係合してロックすることになる。
【００３５】
図８は１つの部分開放位置を示している。次に、該部分開放位置からの引き出しの閉鎖（押し込み）について説明する。図８に示す閉鎖過程（押し込み過程）は、他の部分開放位置若しくは完全に開かれた位置（完全開放位置）からの閉鎖にも当てはまる。
【００３６】
引き出しが、今、閉鎖方向Ｓに押される。この場合に、結合装置２９を介して引き出しにつながれている押し出し装置２０も、閉鎖方向へ移動させられ、それも、ラッチ３３が、閉鎖方向で該ラッチの前にある最初の係止要素４２の係止面４２．１にぶつかるまで、移動させられる。ラッチ３３は、係止要素４２の係止面４２．１にぶつかることにより、結合部分３０の運動を阻止（ロック）するようになっている（図９、参照）。しかしながら、スライド片２１は、結合部分３０に向けて移動させられるので、押し棒２４がスライド片２１内に押し込まれ、ばね要素２２が圧縮され、その結果、押し出し装置が再び荷重を掛けられ、言い換えればエネルギーを蓄積され、即ちチャージされることになる。スライド片２１が、図１０に示す押し込み位置に達すると、係止リング２４．２が制御カム２３内で係止され、その結果、スライド片２１は、結合部分３０上で該押し込み位置に確保され、つまり止められることになる。同時に、ロック片２８のロック要素２８．３がロック受容部３２内に入り込む。これにより、確実なロックが達成される。このようなロックは、例えば衝撃的な運動若しくは振動に起因してスライド片２１と結合部分３０との間の結合が解除されてしまうことを防止している。移動させられたスライド片２１は、移動行程終端で、ラッチ３３により形成されている係止結合をも解除する。このために、スライド片２１の係止解除部分２５が、その係止解除傾斜面で以てラッチ３３を、係止面４２．１から押し離すようになっている（図１０、参照）。
【００３７】
引き出しは、該引き出しが、具体的には連結部分３０が図１１に示す位置に達するまで、惰性により移動させられるものである。続いて、押し出し装置２０の係止解除部分３７が、トリガー１３．２にぶつかり、該トリガーを作動させ、その結果、連結片１３を、旋回軸１２．５を中心として作動させる。これにより、連行体１３．４が、切欠き部１１．２１から、案内１１．２の領域に達するまで押し出される。
【００３８】
連行体１３．４は、切欠き部１１．２１からの押し出し（走出）に際して、結合部分３０の受容部３６内に係合して、これにより連結片１３と押し出し装置２０との間の連結部を形成する（図１２、参照）。これによって、駐留位置（ばね係留位置）が解消され、ばね１４が弛緩され、つまり縮むようになる。縮みつつ放出するばね力により、押し出し装置２０も、閉鎖方向Ｓに引っ張られ、該押し出し装置を介して引き出しが閉鎖方向Ｓに引っ張られる。この場合に、ダンパー１２も有効になり、ばね１４により発生される閉鎖運動を制動するようになっている。
【００３９】
図１３に示してあるように、ロック片２８は、前述の引き込み運動中に、該ロック片の係止解除片２８．１で以て壁要素１１．３と接するようになる。これにより、ロック要素２８．３がロック受容部３２から外され、即ち引き出され、つまり係止解除され、押し出し装置２０が、引き出しの次の開放のための状態に移されている。
【００４０】
図１４は、引き込み装置の完全に引き込まれた位置を示しており、連結片１３が引き込み位置にあり、スライド片２１が押し込み位置にある。引き出しも完全に閉じられている。
【符号の説明】
【００４１】
１０  ケーシング、  １１  側壁、  １１．１  ねじ受容部、  １１．２  案内、  １１．２１  切欠き部、  １１．３  壁要素、  １２  ダンパー、  １２．１  ピストンロッド、  １２．２  ピストン、  １２．３  挿入体、  １２．４  ヘッド部分、  １２．５  旋回支承部又は旋回軸、  １２．６  シリンダー、  １３  連結片、  １３．１  ばねホルダー、  １３．２  トリガー又は作動開始器、  １３．３  アーム、  １３．４  連行体、  １３．５  旋回支承部、  １４  ばね、  １５  ケーシングの縁部、  ２０  押し出し装置、  ２１  スライド片、  ２２  ばね要素又はコイルばね、  ２３  制御カム、  ２４  押し棒、  ２４．１  雄ねじ、  ２４．２  係止リング、  ２５  係止解除部分、  ２６  ホルダー、  ２７  支承部、  ２８  ロック片、  ２８．１  係止解除片、  ２８．２  アーム、  ２８．３  ロック要素、  ２９  結合器又は連結装置、  ３０  結合部分、  ３１  支持体、  ３２  ロック受容部、  ３３  ラッチ、  ３３．１  係止区分、  ３３．２  係止解除区分、  ３３．３  ストッパー、  ３３．４  旋回軸、  ３５  端部片、  ３６  受容部、  ３７  係止解除部分、  ３８  端部、  ３８．１  雌ねじ、  ４０  レール、  ４１  壁要素又は壁、  ４２  係止要素、  ４２．１  係止面又は係止フランク、  ４２．２  係止解除傾斜面、  ４３  壁要素又は壁
【図１】
0005606518.tif 000002
【図２】
0005606518.tif 000003
【図３】
0005606518.tif 000004
【図４】
0005606518.tif 000005
【図５】
0005606518.tif 000006
【図６】
0005606518.tif 000007
【図７】
0005606518.tif 000008
【図８】
0005606518.tif 000009
【図９】
0005606518.tif 000010
【図１０】
0005606518.tif 000011
【図１１】
0005606518.tif 000012
【図１２】
0005606518.tif 000013
【図１３】
0005606518.tif 000014
【図１４】
0005606518.tif 000015